(57)【要約】【課題】  放射ノイズを低減するために最適な接地位置を容易に確認できる画像処理装置の接地装置を提供する。【解決手段】  制御基板３の近傍に接地電位ラインに接続されている板金１０を配置し、板金１０には相互に間隔を隔てて複数の突起片１１〜１４を形成し、制御ケーブル５のシールド線が接続された端子部材２０を複数の突起片１１〜１４のいずれかに挿入することで放射ノイズを減少させる最適な接地位置を確認して、対応する突起片に端子部材を固定する。【選択図】      図１
2006332462.tif 000002
【特許請求の範囲】
【請求項１】
制御ケーブルの接続部側のシールド線を接地するための電子機器の接地板であって、
接地電位ラインに接続され、それぞれが相互に間隔を隔て複数設けられ、前記シールド線を接続するための被接続部を備える、電子機器の接地板。
【請求項２】
前記複数の被接続部は、導電性部材の端部から外方に突出する突起片を含む、請求項１に記載の電子機器の接地板。
【請求項３】
制御ケーブルの接続部側のシールド線を接地するための電子機器の接続装置であって、
接地電位ラインに接続され、それぞれが相互に間隔を隔て複数設けられる被接続部を有する接地板と、
一端が前記シールド線に接続され、他端が前記接地板のいずれかの被接続部に挿入される接続部とを備える、電子機器の接続装置。
【請求項４】
前記接続部は、導電性部材の端部から外方に突出する突起片を含む、請求項３に記載の電子機器の接続装置。
【請求項５】
前記接続部には、前記被接続部に接触する突起が形成されている、請求項３または４に記載の電子機器の接続装置。
【発明の詳細な説明】
【技術分野】
【０００１】
この発明は、電子機器の接地板および接続装置に関し、例えばコピー機のような電子機器にオプション機器を装着したときの制御ケーブルのシールド線をコピー機本体の接地ラインに接続するための接地板および接続装置に関する。
【背景技術】
【０００２】
電子機器の一例のコピー機には、いくつかのオプション機器を装着可能に構成されている。オプション機器をコピー機本体に接続するとき、コピー機本体とオプション機器との間を制御ケーブルで接続する必要がある。制御ケーブルには、コピー機本体に内蔵されているＣＰＵのクロック信号が同期を取るために含まれており、このクロック信号の整数倍の高調波信号が放射ノイズとなり、制御ケーブルをアンテナとして不要輻射されてしまう。
【０００３】
このような放射ノイズの発生を防ぐことを目的とした画像記録装置が特開平１０−２４６２１号公報（特許文献１）に記載されている。この画像記録装置は、本体フレームを非導電部材で構成し、信号発生装置を接地した金属製の底板上に取付け、レーザスキャナ部を金属製のステーに取付け、底板とステーをアースバネで接続している。伝送ケーブルをアースバネ上に配置することで、アースバネによりステーの接地機能と伝送ケーブルのシールド機能を持たせて画像信号による放射ノイズの発生を防止する。
【０００４】
しかし、特許文献１に記載されている画像記録装置では、本体内に収納されている信号発生装置とレーザスキャナ部とを接続する伝送ケーブルからの放射ノイズの発生を防止するものであり、本体とオプション機器とを接続する制御ケーブルからの放射ノイズの発生を防止する目的では使用できない。
【０００５】
そこで、オプション機器の制御ケーブルのシールド線を本体内の接地ラインに接続することで放射ノイズの不要輻射を防止することが行われている。すなわち、図３に示すように、コピー機本体１には、例えば筐体を構成する板金２に制御基板３が取付けられており、制御基板３にはレセプタクル４が装着されている。図示しないオプション機器の制御ケーブル５の先端部にはプラグ６が取付けられており、このプラグ６が制御基板３のレセプタクル４に接続される。
【０００６】
制御ケーブル５は放射ノイズのアンテナになってしまうため、放射ノイズ対策としてシールドケーブルが使用されている。シールドケーブルの図示しないシールド線にはアース線７が接続されており、アース線７の先端には丸型あるいは先開き端子などのビス止め端子８が接続されており、このビス止め端子８がビス９により板金２に接続される。
【特許文献１】特開平１０−２４６２１号公報（００２８〜００３０、図２）
【発明の開示】
【発明が解決しようとする課題】
【０００７】
図３に示した例では、アース線７をビス止め端子８にビス９により板金２に接続しているため、アース線の接地箇所が１箇所に限定されてしまい、そのビス止め箇所が放射ノイズ対策上で、最適箇所かどうか不明であり、異なる箇所での確認を容易に行うことができなかった。
【０００８】
そこで、この発明の目的は、放射ノイズを低減するために最適な接地位置を容易に確認できる電子機器の接地板および接続装置を提供することである。
【課題を解決するための手段】
【０００９】
この発明は、制御ケーブルの接続部側のシールド線を接地するための電子機器の接地板であって、接地電位ラインに接続され、それぞれが相互に間隔を隔て複数設けられ、シールド線を接続するための被接続部を備える。
【００１０】
具体的には、複数の被接続部は、導電性部材の端部から外方に突出する突起片を含む。
【００１１】
この発明の他の局面は、制御ケーブルの接続部側のシールド線を接地するための電子機器の接続装置であって、接地電位ラインに接続され、それぞれが相互に間隔を隔て複数設けられる被接続部を有する接地板と、一端がシールド線に接続され、他端が接地板のいずれかの被接続部に挿入される接続部とを備える。
【００１２】
具体的には、接続部は、導電性部材の端部から外方に突出する突起片を含む。
【００１３】
より好ましくは、接続部には、被接続部に接触する突起が形成されている。
【発明の効果】
【００１４】
この発明によれば、接地電位ラインに接続され、それぞれが相互に間隔を隔て複数設けられ、シールド線を接続するための被接続部を備えることで、シールド線をいずれかの被接続部に接続することで、放射ノイズが最も少なくなる接地位置を確認することができる。
【００１５】
また、接地電位ラインに接続され、それぞれが相互に間隔を隔て複数設けられる被接続部を有する接地板を設け、一端がシールド線に接続された接続部の他端を接地板のいずれかの被接続部に挿入することで、放射ノイズを低減するために最適な接地位置を容易に確認できる。
【発明を実施するための最良の形態】
【００１６】
図１はこの発明の一実施形態における画像処理装置の接地装置の要部斜視図であり、図２は端子部材を板金の突起片に挿入した状態を示し、（Ａ）は要部斜視図であり、（Ｂ）は断面図である。
【００１７】
前述の図３の説明と同様にして、制御基板３は板金１０上にビス止めされている。板金１０は筐体の一部であってもよく、あるいは筐体内に別途設けられたものであってもよいが、画像処理装置の接地ラインに接続されている必要がある。制御基板３にはレセプタクル４が装着されており、
接地板となる板金１０のレセプタクル４の近傍には、それぞれが相互に間隔を隔てて面方向に沿って外方に向く矩形の複数の突起片１１，１２，１３，１４が被接続部として形成されている。制御ケーブル５のシールド線はアース線７に接続されており、アース線７の先端には端子部材２０が接続されている。この端子部材２０は、板金１０に形成されている複数の突起辺１１〜１４のいずれかに挿入することで接地ラインに接続される。端子部材２０と突起片１１〜１４により接続装置を構成している。
【００１８】
端子部材２０は、図２（Ａ），（Ｂ）に示すように、例えばファストンと呼ばれる平型端子が使用される。この平型端子である端子部材２０は、例えば厚さが０．５ｍｍ程度の薄い金属板を折り曲げて形成されており、アース線７を接続するためのケーブル接続部２１と、突起片１１を囲むように接触することで電気的に接続される接触部２２とを含む。
【００１９】
接触部２２には内側に突出する突起２３が形成されており、この突起２３が突起片１１に接触することで電気的接続を確実にしかつ端子部材２１が突起片１１から容易に抜けないように抜き止め作用をなしている。なお、この突起２３が嵌まり込むように突起片１１〜１４に孔を形成してもよい。
【００２０】
上述のごとく、板金１０に複数の突起片１１〜１４を形成し、制御ケーブル５のアース線７の先端に取付けられた端子部材２０を突起片１１〜１４のいずれかに挿入することで、放射ノイズを低減するために最適な接地位置を容易に確認できる。すなわち、規格では、３０ＭＨｚ〜１０００ＭＨｚの周波数帯域において放射ノイズが所定値以下にする必要があるので、例えばオシロスコープの波形を確認しながら、端子部材２０を突起片１１〜１４のいずれかに挿入して、放射ノイズが最も小さくなる接地位置を確認することができ、放射ノイズが最も小さくなる突起片に端子部材２０を挿入して固定する。
【００２１】
なお、上述の実施形態では、板金１０に複数の突起片１１〜１４を形成し、端子部材２０をいずれかの突起片を囲むように挿入することで最適な接地位置を確認するようにしたが、板金１０には突起片１１〜１４に代えて、複数の矩形に切欠いた凹部を形成しておき、端子部材２０に代えて突状の接触部を複数の切欠き凹部のいずれかに挿入することで、放射ノイズが最も小さくなる接地位置を確認するようにしてもよい。
【００２２】
また、図３に示したビス止め端子８をビス９により板金２に接続するために、相互に間隔を有して複数の孔を形成し、放射ノイズが最も小さくなる孔にビス止め端子８を接続してもよい。さらに、図１に示した端子部材２０に代えてワニ口クリップを用いるようにしてもよい。
【００２３】
また、上述の説明では制御基板３のレセプタクル４に接続される制御ケーブル５のシールド線を接地するためにこの発明を適用したが、それ以外のユニットの複数の端子に芯線を接続する制御ケーブルのシールド線を一点接地する場合であっても適用できる。
【００２４】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００２５】
【図１】この発明の一実施形態における電子機器の接続装置の要部斜視図である。
【図２】端子部材を板金の突起片に挿入した状態を示す図である。
【図３】ビス止め端子を板金にビス止めした状態を示す斜視図である。
【符号の説明】
【００２６】
３  制御基板、４  レセプタクル、５  制御ケーブル、６  プラグ、７  アース線、１０  板金、１１〜１４  突起片、２０  端子部材、２１  ケーブル接続部、２２  接触部、２３  突起。
【図１】
2006332462.tif 000003
【図２】
2006332462.tif 000004
【図３】
2006332462.tif 000005